(57)【要約】      （修正有）【課題】スクータのシート折り畳み構造を提供する。【解決手段】板体２を含み、板体２の一端は、ペダル８上に枢着し、板体２の他端は、ベース板５に枢着し、板体２の底面は、前支持部材３に枢着する。第１活動接続部材４は、活動折り畳み可能な方式でそれぞれ板体２の底面及び前支持部材３に接続し、前支持部材３を板体２に相対して展開又は折り畳みさせることができる。後支持部材６は、ベース板５の底面に枢着する。第２活動接続部材は、活動折り畳み可能な方式でそれぞれベース板５の底面及び後支持部材６に接続し、後支持部材６をベース板５に相対して展開又は折り畳みさせることができる。これにより、前支持部材３、第１活動接続部材４、ベース板５、後支持部材６及び第２活動接続部材を、同時に板体２の下方に収容させることができ、展開時、安定したベース板５を形成し、使用者を座らせて乗せることができる。【選択図】図２
0003189751.tif 000002
【実用新案登録請求の範囲】
【請求項１】
ペダルの上方に設けられるスクータのシート折り畳み構造であって、該スクータのシート折り畳み構造は、
長形を呈し、その長軸方向の一端がペダル上に枢着してなり、底面及び該底面に反する上面を含む板体と、
長形を呈し、その長軸方向の一端が板体の底面上に枢着する前支持部材と、
活動折り畳み可能な方式でそれぞれ板体の底面及び前支持部材に接続し、前支持部材を板体に相対して展開又は折り畳みさせる第１活動接続部材と、
その一端が板体の長軸方向の他端に枢着し、底面及び該底面に反する上面を含むベース板と、
長形を呈し、その長軸方向の一端は、ベース板の底面上に枢着する後支持部材と、
活動折り畳み可能な方式でそれぞれベース板の底面及び後支持部材に接続し、後支持部材をベース板に相対して展開又は折り畳みさせる該第２活動接続部材と、
を含むスクータのシート折り畳み構造。
【請求項２】
前記板体の長軸方向の両端の間に長形の収容空間を設け、前支持部材、第１活動接続部材、ベース板、後支持部材及び第２活動接続部材を折り畳ませる請求項１に記載のスクータのシート折り畳み構造。
【請求項３】
前記前支持部材は、長形凹溝を設け、該第１活動接続部材は、第１接続部材を含み、該第１接続部材は、第１長形ガイド溝を設け、第１接続部材の一端は、板体の底面に枢着し、該前支持部材は、第１ガイドロッドを設け、該第１ガイドロッドは、該第１長形ガイド溝を通過し、該長形凹溝の幅は、第１接続部材の幅より若干大きく、第１接続部材をその中に収容させる請求項１又は請求項２に記載のスクータのシート折り畳み構造。
【請求項４】
前記後支持部材は、長形欠き溝を設け、該第２活動接続部材は、第２接続部材を含み、該第２接続部材は、第２長形ガイド溝を設け、該第２接続部材の一端は、ベース板の底面に枢着し、該後支持部材は、第２ガイドロッドを設け、該第２ガイドロッドは、該第２長形ガイド溝を通過し、該長形欠き溝の幅は、第２接続部材の幅より若干大きく、第２接続部材をその中に収容させる請求項１又は請求項２に記載のスクータのシート折り畳み構造。
【請求項５】
前記前支持部材及びベース板が展開する時、該前支持部材の一端は、ペダル上に押圧され、該後支持部材の一端は、板体の上面に押圧される請求項１又は請求項２に記載のスクータのシート折り畳み構造。
【考案の詳細な説明】
【技術分野】
【０００１】
本考案は、スクータに関し、特に、使用者に立ち乗りで騎乗するか、座り乗りで騎乗するかを選択させ、且つシートの折り畳みに便利であることができるシート折り畳み構造に関する。
【背景技術】
【０００２】
スクータは、相当に軽快であり、極めて優れた機動性を有するので、人々の寵愛を普遍的に受け、各地で流行の風潮となっている。但し、従来の人力スクータであるか、電動のスクータであるかに関わらず、使用者は、使用時何れもペダル上に立つ必要がある。
【０００３】
但し、一般の人力のスクータの重量が比較的軽く、脚で押し動かす時に力を費やさないようになっているが、電動スクータについては、電動方式を使用せずに直接脚で押し動かす時、相當な労力を要する。また、電動スクータは、電力で駆動することにより使用者の騎乗に便利にすることができ、体力を節約させるが、使用者が長時間立った状態において、依然として体力の負担をまねく。
【０００４】
これに鑑み、スクータのシート折り畳み構造を提供し、上記の欠陥を改善し、下記の目的を達成する為、考案者は、長年の経験を積み、絶え間ない研究改善を行い、ようやく本考案を誕生させている。
【先行技術文献】
【特許文献】
【０００５】
【特許文献１】実用新案登録第３１０３４５２号
【考案の概要】
【考案が解決しようとする課題】
【０００６】
本考案の目的は、シートをペダルの上方に折り畳むことができ、空間を節約し、使用者が立って使用することを便利にすることができ、且つシートを展開し、ペダル上に安定固定させることができ、使用者に快適に騎乗させることができるスクータのシート折り畳み構造を提供することにある。
【課題を解決するための手段】
【０００７】
上記考案の目的を達成する為、本考案が設けるスクータのシート折り畳み構造は、ペダルの上方に設けられ、該シート折り畳み構造は、板体、前支持部材、第１活動接続部材、ベース板、後支持部材及び第２活動接続部材を含む。
そのうち、該板体は、長形を呈し、その長軸方向の一端は、ペダル上に枢着し、該前支持部材は、長形を呈し、その長軸方向の一端は、板体の底面上に枢着する。該第１活動接続部材は、活動折り畳み可能な方式でそれぞれ板体の底面及び前支持部材に接続し、前支持部材を板体に相対して展開又は折り畳みさせる。該ベース板の一端は、板体の長軸方向の他端に枢着する。該後支持部材は、長形を呈し、その長軸方向の一端は、ベース板の底面上に枢着する。該第２活動接続部材は、活動折り畳み可能な方式でそれぞれベース板の底面及び後支持部材に接続し、後支持部材をベース板に相対して展開又は折り畳みさせる。
【０００８】
実施時、該板体の長軸方向の両端の間に長形の収容空間を設け、前支持部材、第１活動接続部材、ベース板、後支持部材及び第２活動接続部材を折り畳ませる。
【０００９】
実施時、該前支持部材は、長形凹溝を設け、該第１活動接続部材は、第１接続部材を含み、第１接続部材は、第１長形ガイド溝を設け、第１接続部材の一端は、板体の底面に枢着し、該前支持部材は、第１ガイドロッドを設け、該第１ガイドロッドは、第１長形ガイド溝を通過し、長形凹溝の幅は、第１接続部材の幅より若干大きく、第１接続部材をその中に収容させる。
【００１０】
実施時、該後支持部材は、長形欠き溝を設け、該第２活動接続部材は、第２接続部材を含み、第２接続部材は、第２長形ガイド溝を設け、該第２接続部材の一端は、ベース板の底面に枢着し、該後支持部材は、第２ガイドロッドを設け、第２ガイドロッドは、第２長形ガイド溝を通過し、該長形欠き溝の幅は、第２接続部材の幅より若干大きく、第２接続部材をその中に収容させる。
【００１１】
実施時、前支持部材及びベース板が展開する時、前支持部材の一端は、ペダル上に押圧され、後支持部材の一端は、板体の上面に押圧される。
【考案の効果】
【００１２】
本考案は、以下の利点を有する：
1．本考案は、使用者に立ち乗り又は座り乗りで電動スクータに騎乗することを選択させることができ、従って、運動の効果を効率的に達成することができるだけでなく、使用者に適当な休憩をさせ、体力の節約をさせることもできる。
2．本考案は、シートをペダルの上方に折り畳み定位させることができ、且つシートを展開し、ペダル上に安定定位させることができ、空間を効率的に節約することができるだけでなく、使用者が立って使用することに便利であり、且つ使用者を座らせて快適に騎乗させることもできる。
【図面の簡単な説明】
【００１３】
【図１】本考案が組み立てられ、スクータ上に折り畳まれた立体外観説明図である。
【図２】本考案が組み立てられ、スクータ上に展開された立体外観説明図である。
【図３】本考案の部材分解図である。
【図４】本考案の展開時の使用状態図である。
【図５】本考案の展開時の使用状態図である。
【考案を実施するための形態】
【００１４】
本考案のスクータのシート折り畳み構造は、ペダルの上方に設けられ、板体、前支持部材、第１活動接続部材、ベース板、後支持部材及び第２活動接続部材を含む。
そのうち、板体の長軸方向の一端がペダル上に枢着し、前支持部材の長軸方向の一端が板体の底面上に枢着し、第１活動接続部材は、活動折り畳み可能な方式でそれぞれ板体の底面及び前支持部材に接続し、底板の一端が板体の長軸方向の他端に枢着し、後支持部材の長軸方向の一端は、底板の底面上に枢着し、第２活動接続部材は、活動折り畳み可能な方式でそれぞれ底板の底面及び後支持部材に接続する。
【００１５】
図１〜図３を参照して説明するが、それは、本考案のスクータのシート折り畳み構造１の好適実施例であり、該シート折り畳み構造１は、板体２、前支持部材３、第１活動接続部材４、ベース板５、後支持部材６及び第２活動接続部材７を含む。本実施例において、スクータ９の前輪９１方向を前端と定義し、スクータ９の後輪９２方向を後端として定義する。
【００１６】
該板体２は、長方形を呈し、その長軸方向の後端は、回転軸２１によりペダル８の後端に枢着し、該板体２は、底面２２及び底面２２に反する上面２３を含み、該板体２は、上板２４を有し、上板２４の左右両端からそれぞれ下向きに側板２５を延伸し、該上板２４及び左右両側板２５の間に長形の収容空間２６を形成する。
【００１７】
該前支持部材３は、長形板であり、その長軸方向の前端は、回転軸３１により板体２の上板２４の底面２２上に枢着し、該前支持部材３の幅は、収容空間２６の幅より若干小さく、前支持部材３の中央部位は、前支持部材３を貫通する長形凹溝３２を設け、第１ガイドロッド３３は、前支持部材３上に固定され、長形凹溝３２を通過する。
【００１８】
該第１活動接続部材４は、第１接続部材４１及び第１固定部材４２を含み、該第１接続部材４１の幅は、前支持部材３の長形凹溝３２の幅より若干小さく、該第１接続部材４１は、第１長形ガイド溝４３を設け、第１長形ガイド溝４３は、第１ガイドロッド３３上に被せて接続され、第１ガイドロッド３３は、第１長形ガイド溝４３を通過し、第１ガイドロッド３３を第１長形ガイド溝４３内である限度の移動をさせることができる。
第１固定部材４２は、板体２の上板２４の底面２２に固定され、第１接続部材４１の一端は、第１軸桿４４により第１固定部材４２上に枢着する。実施時、第１接続部材４１の一端は、第１ガイド溝３３上に枢着でき、第１長形ガイド溝４３は、第１軸桿４４に被せて接続され、同様に前支持部材３を板体２に相対して活動的に折り畳ませることができる。
【００１９】
該底板５は、上板５１を有し、上板５１の前端は、板体２長軸方向の前端に枢着し、該上板５１は、底面５２及び底面５２に反する上面５３を含み、上板５１の底面５２下方に枠形の収容空間５４を形成する（図４参照）。
【００２０】
該後支持部材６は、長形板であり、その長軸方向の後端は、回転軸６１によりベース板５の上板５１の底面５２上に枢着し、該後支持部材６の幅は、収容空間５４の幅より若干小さく、後支持部材６の中央部は、後支持部材６を貫通する長形欠き溝６３を設け、また、後支持部材６上に第２ガイドロッド６２を設け、第２ガイドロッド６２は、長形欠き溝６３を通過する。
【００２１】
第２活動接続部材７は、第２接続部材７１及び第２固定部材７２を含み（第４参照）、該第２接続部材７１の幅は、後支持部材６の長形欠き溝６３の幅より若干小さい。該第２接続部材７１は、第２長形ガイド溝７３を設け、第２長形ガイド溝７３は、第２ガイドロッド６２上に被せて接続され、即ち、第２ガイドロッド６２は、第２長形ガイド溝７３を通過し、第２ガイドロッド６２を第２長形ガイド溝７３内である限度の移動をさせることができる。
第２固定部材７２は、ベース板５の上板５１の底面５２に固定され、第２接続部材７１の一端は、第２ガイドロッド６２上に枢着でき、第２長形ガイド溝７３は、第２軸桿７４に被せて接続され、同様に後支持部材６をベース板５に相対して活動的に折り畳ませることができる。
【００２２】
図４に示すように、上記各部財の組み合わせを経て、全支持部材３、第１活動接続部材４、ベース板５、後支持部材６及び第２活動接続部材７を板体２下方の収容空間２６の中に同時に折り畳み、図１の状態を形成し、使用者に板体２上を踏ませる。
図４、図５に示すように、使用者は、板体２の前端から上向き板体２を起こし、前向きに前支持部材３を押し動かし、前支持部材３の後端をペダル８上に押圧させる時、１つの安定固定した支持構造を形成することができ、ベース板５を反転し、後支持部材６の前端を支点として板体２の上面２３上に押圧する時、ベース板５を回動して安定固定に支持させ、使用者を座らせて乗ることができる。
【００２３】
従って、本考案は、以下の利点を有する：
1．本考案は、使用者に立ち乗り又は座り乗りで電動スクータに騎乗することを選択させることができ、従って、運動の効果を効率的に達成することができるだけでなく、使用者に適当な休憩をさせ、体力の節約をさせることもできる。
2．本考案は、シートをペダルの上方に折り畳み定位させることができ、且つシートを展開し、ペダル上に安定定位させることができ、空間を効率的に節約することができるだけでなく、使用者が立って使用することに便利であり、且つ使用者を座らせて快適に騎乗させることもできる。
【００２４】
なお、本考案では好ましい実施例を前述の通り開示したが、これらは決して本考案に限定するものではなく、当該技術を熟知する者なら誰でも、本考案の精神と領域を脱しない均等の範囲内で各種の変動や潤色を加えることができることは勿論である。
【符号の説明】
【００２５】
１  スクータのシート折り畳み構造
２  板体
２１  回転軸
２２，５２  底面
２３，５３  上面
２４  上板
２５  側板
２６  収容空間
３  前支持部材
３１  回転軸
３２  （長形）凹溝
３３  第１ガイドロッド
４  第１活動接続部材
４１  第１接続部材
４２  第１固定部材
４３  第１長形ガイド溝
４４  第１軸桿
５  ベース板
５１  上板
５４  収容空間
６  後支持部材
６１  回転軸
６２  第２ガイドロッド
６３  （長形）欠き溝
７  第２活動接続部材
７１  第２接続部材
７２  第２固定部材
７３  第２長形ガイド溝
７４  第２軸桿
８  ペダル
９  スクータ
９１  前輪
９２  後輪
【図１】
0003189751.tif 000003
【図２】
0003189751.tif 000004
【図３】
0003189751.tif 000005
【図４】
0003189751.tif 000006
【図５】
0003189751.tif 000007